(57)【要約】【課題】高温の環境でも電気的な接続信頼性を保持することができるコネクタを提供する。【解決手段】回路基板３の端部が挿入される挿入部５を有するハウジング７と、ハウジング７内に収容され挿入部５に配置されて回路基板３の導体部に弾性的に接触される接触部９が設けられた複数の端子１１とを備えたコネクタ１において、端子１１が、接触部９を内外に出没可能に収容した箱部１３を有し、ハウジング７が、アウタハウジング１７と、接触部９を箱部１３外に出させる押上部１９が設けられたインナハウジング２１とを有し、インナハウジング２１を、耐熱性の材料で形成した。【選択図】図１
2017182953.tif 000002
【特許請求の範囲】
【請求項１】
複数の導体部が設けられた回路基板の端部が挿入される挿入部を有するハウジングと、このハウジング内に収容され前記挿入部に配置されて前記回路基板の導体部に弾性的に接触される接触部が設けられた複数の端子とを備えたコネクタであって、
前記端子は、前記接触部を内外に出没可能に収容した箱部を有し、
前記ハウジングは、前記挿入部が設けられ前記端子の箱部を係止して前記端子の箱部を前記挿入部に位置させる係止ランスが設けられたアウタハウジングと、前記挿入部に配置され前記端子の箱部に挿入されて前記接触部を前記箱部外に出させる押上部が設けられたインナハウジングとを有し、
前記インナハウジングは、耐熱性の材料で形成されていることを特徴とするコネクタ。
【発明の詳細な説明】
【技術分野】
【０００１】
本発明は、コネクタに関する。詳細には、回路基板の端部が挿入されるハウジングを有するコネクタに関する。
【背景技術】
【０００２】
従来、コネクタとしては、複数の導体部が設けられた回路基板の端部が挿入される挿入部を有するハウジングと、このハウジング内に収容され挿入部に配置されて回路基板の導体部に弾性的に接触される接触部としての基板接続部が設けられた複数の端子としての基板接続用端子とを備えたものが知られている（例えば、特許文献１参照）。
【０００３】
このコネクタでは、ハウジングが、挿入部が設けられ基板接続用端子に接続される相手端子を係止する係止ランスが設けられたアウタハウジングと、挿入部に配置され基板用接続端子を収容するインナハウジングとを有している。
【０００４】
このようなコネクタでは、アウタハウジングの挿入部にインナハウジングを配置させることにより、相手端子と基板用接続端子とが電気的に接続され、基板用接続端子の基板接続部が挿入部に配置される。
【０００５】
そして、挿入部に回路基板の端部を挿入することにより、基板接続部が回路基板の導体部に接触され、回路基板と基板用接続端子及び相手端子とが電気的に接続される。
【先行技術文献】
【特許文献】
【０００６】
【特許文献１】特開２０１６−９６０３号公報
【発明の概要】
【発明が解決しようとする課題】
【０００７】
ところで、上記特許文献１のようなコネクタでは、例えば、エンジンルーム内などのように、高温の環境で使用された場合、ハウジングを構成するアウタハウジングやインナハウジングが熱膨張を起こすことがある。
【０００８】
このような熱膨張が起こると、回路基板の導体部と基板用接続端子の基板接続部との間、もしくは基板用接続端子と相手端子との間の電気的な接続状態が不安定となり、接触抵抗が上がり、電気的な接続信頼性が低下する恐れがあった。
【０００９】
そこで、この発明は、高温の環境でも電気的な接続信頼性を保持することができるコネクタの提供を目的としている。
【課題を解決するための手段】
【００１０】
請求項１記載の発明は、複数の導体部が設けられた回路基板の端部が挿入される挿入部を有するハウジングと、このハウジング内に収容され前記挿入部に配置されて前記回路基板の導体部に弾性的に接触される接触部が設けられた複数の端子とを備えたコネクタであって、前記端子は、前記接触部を内外に出没可能に収容した箱部を有し、前記ハウジングは、前記挿入部が設けられ前記端子の箱部を係止して前記端子の箱部を前記挿入部に位置させる係止ランスが設けられたアウタハウジングと、前記挿入部に配置され前記端子の箱部に挿入されて前記接触部を前記箱部外に出させる押上部が設けられたインナハウジングとを有し、前記インナハウジングは、耐熱性の材料で形成されていることを特徴とする。
【００１１】
このコネクタでは、端子が、接触部を内外に出没可能に収容した箱部を有するので、２部材間の電気的な接続によって接触部を得ることがなく、２部材間の電気的な接続信頼性を考慮する必要がない。
【００１２】
また、接触部を箱部外に出させる押上部が設けられたインナハウジングは、耐熱性の材料で形成されているので、高温の環境で使用してもインナハウジングが熱膨張することがなく、端子の接触部に影響を与えることがない。
【００１３】
従って、このようなコネクタでは、電気的な接続箇所を削減し、接触部を変位させるインナハウジングが熱膨張することがないので、高温の環境でも電気的な接続信頼性を保持することができる。
【発明の効果】
【００１４】
本発明によれば、高温の環境でも電気的な接続信頼性を保持することができるコネクタを提供することができるという効果を奏する。
【図面の簡単な説明】
【００１５】
【図１】本発明の実施の形態に係るコネクタに回路基板を挿入したときの断面図である。
【図２】本発明の実施の形態に係るコネクタの斜視図である。
【図３】本発明の実施の形態に係るコネクタの断面図である。
【図４】本発明の実施の形態に係るコネクタのインナハウジングの斜視図である。
【発明を実施するための形態】
【００１６】
図１〜図４を用いて本発明の実施の形態に係るコネクタについて説明する。
【００１７】
本実施の形態に係るコネクタ１は、複数の導体部が設けられた回路基板３の端部が挿入される挿入部５を有するハウジング７と、このハウジング７内に収容され挿入部５に配置されて回路基板３の導体部に弾性的に接触される接触部９が設けられた複数の端子１１とを備えている。
【００１８】
また、端子１１は、接触部９を内外に出没可能に収容した箱部１３を有する。
【００１９】
さらに、ハウジング７は、挿入部５が設けられ端子１１の箱部１３を係止して端子１１の箱部１３を挿入部５に位置させる係止ランス１５が設けられたアウタハウジング１７と、挿入部５に配置され端子１１の箱部１３に挿入されて接触部９を箱部１３外に出させる押上部１９が設けられたインナハウジング２１とを有する。
【００２０】
そして、インナハウジング２１は、耐熱性の材料で形成されている。
【００２１】
図１〜図４に示すように、ハウジング７は、絶縁性材料からなり、アウタハウジング１７と、インナハウジング２１とを備えている。
【００２２】
アウタハウジング１７は、ＰＢＴ、ＰＢＴ−ＨＦ−ＨＳ１などの合成樹脂からなり、一側面側に基板ユニット２３の端部が挿入される挿入部５が設けられ、他側面側に複数の端子１１が挿入される端子挿入部２５が設けられている。
【００２３】
アウタハウジング１７の挿入部５に挿入される基板ユニット２３は、合成樹脂などの絶縁性材料からなるユニットハウジング２７内に回路基板３がインサート成形されている。
【００２４】
このユニットハウジング２７から露出する回路基板３の端部には、回路パターンを構成する複数の導体部（不図示）が幅方向に複数列設けられている。
【００２５】
このような基板ユニット２３は、ユニットハウジング２７の外周に設けられたリブ（不図示）とアウタハウジング１７に設けられた溝部２９とを介して、露出された回路基板３の複数の導体部側の端部がアウタハウジング１７の挿入部５内に挿入され、ユニットハウジング２７とアウタハウジング１７とに設けられた係止部３１を介して係止される。
【００２６】
このようなアウタハウジング１７の挿入部５には、内部に複数の端子１１の接触部９が配置され、基板ユニット２３の端部が挿入されることにより、回路基板３の導体部と端子１１の接触部９とが接触され、基板ユニット２３と複数の端子１１とが電気的に接続される。
【００２７】
このアウタハウジング１７の挿入部５の反対側には、端子挿入部２５が設けられている。
【００２８】
アウタハウジング１７の端子挿入部２５には、開口から複数の端子１１が挿入され、内部に設けられた端子収容室３３内に複数の端子１１が収容配置される。
【００２９】
このアウタハウジング１７の端子挿入部２５の開口側には、複数の端子１１を挿入可能な複数の孔が設けられ、アウタハウジング１７と複数の端子１１が端末部に設けられた電線３５とに密着してハウジング７の内部を防水するマットシール３７が配置されている。
【００３０】
マットシール３７は、複数の端子１１を挿入可能な複数の孔が設けられ、アウタハウジング１７の端子挿入部２５に配置された後、アウタハウジング１７の端子挿入部２５の開口に組付けられるマットシールカバー３９によってアウタハウジング１７からの抜け止めがなされる。
【００３１】
複数の端子１１は、導電性材料からなり、箱部１３を有する雌型端子となっている。また、複数の端子１１は、それぞれ電源や機器などに接続された電線３５の端末部に圧着などによって電気的に接続されている。
【００３２】
この複数の端子１１は、箱部１３側がアウタハウジング１７の端子挿入部２５の開口からマットシールカバー３９及びマットシール３７の孔を介して挿入され、箱部１３が挿入部５側に位置するようにアウタハウジング１７内の端子収容室３３に収容される。
【００３３】
この端子収容室３３内には、上壁と底壁とからそれぞれ撓み可能に係止ランス１５が設けられている。
【００３４】
この係止ランス１５は、自由端の端面が端子収容室３３内に挿入された端子１１の箱部１３に係合することによって、端子１１のアウタハウジング１７からの抜け止めがなされる。
【００３５】
このような複数の端子１１は、アウタハウジング１７の高さ方向に上段と下段とに上下対称に収容されると共に、アウタハウジング１７の幅方向に並列に複数配列されて収容される。
【００３６】
このようにアウタハウジング１７に収容される複数の端子１１の箱部１３には、それぞれ接触部９を有する弾性片４１が設けられている。
【００３７】
弾性片４１は、基端が箱部１３の上壁の電線３５側に位置し、基端から挿入部５側に向けて延設された後、底壁側に向けて屈曲された部分が自由端となり、端部が再び電線３５側に向けて折り曲げられることにより、箱部１３内に弾性変形可能に設けられている。
【００３８】
接触部９は、弾性片４１の自由端から再び電線３５側に向けて折り曲げられた部分において、自由端と基端との間に箱部１３の底壁側に向けて突出するように設けられている。
【００３９】
この接触部９は、弾性片４１の自由端側の箱部１３の底壁側に向けた弾性変形によって、箱部１３の底壁に形成された孔から箱部１３の外部に露出される。
【００４０】
一方、接触部９は、弾性片４１が弾性変形しない状態で、箱部１３から外部に露出することがなく、箱部１３内に収容され、箱部１３によって保護された状態となる。
【００４１】
このように接触部９を箱部１３内に収容することにより、例えば、端子１１の搬送時や端子１１のアウタハウジング１７への収容時などにおいて、接触部９が周辺部材などと干渉することがなく、弾性片４１の変形を防止することができ、所望の接触部９と回路基板３の導体部との接触荷重を得ることができる。
【００４２】
加えて、接触部９は、箱部１３内に収容されているので、端子１１のアウタハウジング１７への収容時において、箱部１３がマットシールカバー３９やマットシール３７の孔を通過するときに、接触部９がマットシールカバー３９やマットシール３７に干渉することがなく、マットシールカバー３９やマットシール３７の損傷を防止することができる。
【００４３】
このように接触部９を箱部１３内に収容することにより、接触部９を保護するために接触部９のみをインナハウジング２１に収容し、アウタハウジング１７に収容された相手端子と接触部９とを電気的に接続させる必要がない。
【００４４】
このため、回路基板３と接触部９との電気的接続において、接触部９と相手端子との電気的な接続を考慮する必要がない。
【００４５】
このような接触部９が設けられた箱部１３を有する端子１１を収容したアウタハウジング１７の挿入部５には、インナハウジング２１が組付けられる。
【００４６】
インナハウジング２１は、ＳＦ３１６ＡＣ、ＳＫ６０２などの耐熱性の合成樹脂からなり、アウタハウジング１７の挿入部５から挿入部５の奥部に収容されて配置される。
【００４７】
なお、インナハウジング２１の挿入部５側の開口の外周には、パッキン４３が一体に固定され、パッキン４３に設けられたリブ４５とアウタハウジング１７の溝部２９とを介してインナハウジング２１がアウタハウジング１７の挿入部５に挿入されると共に、パッキン４３によってアウタハウジング１７とインナハウジング２１との間が防水される。
【００４８】
このインナハウジング２１の高さ方向の両端部には、アウタハウジング１７の挿入部５に配置された状態で、係止ランス１５の撓み空間に挿入され、係止ランス１５の撓みを規制する複数の規制突起４７が延設されている。
【００４９】
この規制突起４７によって係止ランス１５の撓みを規制することにより、端子１１の箱部１３を係止した状態で係止ランス１５が撓むことがなく、端子１１をアウタハウジング１７内に二重に係止することができる。
【００５０】
このようなインナハウジング２１の端子１１と対向する対向面には、インナハウジング２１がアウタハウジング１７の挿入部５に挿入されることにより、端子１１の箱部１３内に挿入されて接触部９を変位させる複数の押上部１９が端子１１側に向けて延設されている。
【００５１】
複数の押上部１９は、複数の端子１１と対応するように、インナハウジング２１の高さ方向に上段と下段とに上下対称に形成されると共に、インナハウジング２１の幅方向に並列に複数配列されて形成されている。
【００５２】
この押上部１９の先端側には、端子１１側からインナハウジング２１側に向けて上り傾斜となる傾斜面が形成されている。
【００５３】
このような押上部１９は、インナハウジング２１がアウタハウジング１７の挿入部５に挿入されることにより、端子１１の箱部１３内に挿入され、傾斜面である先端側が弾性片４１の自由端である先端側に当接される。
【００５４】
この状態からさらにインナハウジング２１をアウタハウジング１７の挿入部５に挿入することにより、弾性片４１の先端が押上部１９の傾斜面と摺動しながら傾斜面に沿って移動し、弾性片４１の自由端側が箱部１３の底壁に向けて変位される。
【００５５】
この押上部１９による弾性片４１の変位により、弾性片４１に設けられた接触部９が箱部１３の底壁の孔から箱部１３外に出される。
【００５６】
この箱部１３の外部に接触部９が露出された状態は、インナハウジング２１がアウタハウジング１７に完全に組付けられた状態で、弾性片４１の自由端側の下面が押上部１９の上面と当接することにより、弾性片４１の箱部１３内への変位を規制して保持される。
【００５７】
このように箱部１３外に出された接触部９は、ハウジング７の高さ方向に対向する一対の接触部９，９となる。
【００５８】
この一対の接触部９，９間には、ハウジング７の挿入部５に基板ユニット２３が挿入されることにより、基板ユニット２３の端部が挿入され、回路基板３の導体部と接触部９，９とが接触されて基板ユニット２３と複数の端子１１とが電気的に接続される。
【００５９】
このようなコネクタ１において、インナハウジング２１は、耐熱性の合成樹脂から形成されている。
【００６０】
このインナハウジング２１の押上部１９は、接触部９が設けられた弾性片４１と当接して、接触部９が箱部１３の外部に露出した状態を保持している。
【００６１】
このため、コネクタ１が、エンジンルーム内などの高温となる環境に配置されている場合であっても、インナハウジング２１の押上部１９が熱膨張することがなく、接触部９の位置が変動することがない。
【００６２】
従って、回路基板３の導体部と一対の接触部９，９との接触が所望の接触荷重で保持され、電気的接続状態が不安定になることがなく、接触抵抗が上がり、電気的な接続信頼性が低下することがない。
【００６３】
このようなコネクタ１では、端子１１が、接触部９を内外に出没可能に収容した箱部１３を有するので、２部材間の電気的な接続によって接触部９を得ることがなく、２部材間の電気的な接続信頼性を考慮する必要がない。
【００６４】
また、接触部９を箱部１３外に出させる押上部１９が設けられたインナハウジング２１は、耐熱性の材料で形成されているので、高温の環境で使用してもインナハウジング２１が熱膨張することがなく、端子１１の接触部９に影響を与えることがない。
【００６５】
従って、このようなコネクタ１では、電気的な接続箇所を削減し、接触部９を変位させるインナハウジング２１が熱膨張することがないので、高温の環境でも電気的な接続信頼性を保持することができる。
【００６６】
なお、本発明の実施の形態に係るコネクタでは、ハウジングの幅方向に複数列配置された複数の端子が２段配置されているが、これに限らず、４段以上配置させるなど、基板ユニットの端部が挿入される挿入部を複数設けてもよい。
【００６７】
また、端子の接触部は、端子を上下対称に配置させることによって一対の接触部となっているが、これに限らず、１つの端子に一対の接触部を設けてもよい。
【符号の説明】
【００６８】
１…コネクタ
３…回路基板
５…挿入部
７…ハウジング
９…接触部
１１…端子
１３…箱部
１５…係止ランス
１７…アウタハウジング
１９…押上部
２１…インナハウジング
【図１】
2017182953.tif 000003
【図２】
2017182953.tif 000004
【図３】
2017182953.tif 000005
【図４】
2017182953.tif 000006